(57)【特許請求の範囲】
【請求項１】
相交差する天井梁と継ぎ天井梁を柱省略コーナー部で接合する建物ユニットにおいて、
天井梁が継ぎ天井梁との接合のために有するジョイントピースが、該天井梁の端部を抱持する本体と、該本体から舌片状に突出する取付片とを備え、
継ぎ天井梁が天井梁との接合のために備える取付部材が、該継ぎ天井梁の本体の自由端側に一体化され、
柱省略コーナー部に仮に設けられる仮柱に、天井梁のためのジョイントピースの取付片が仮止めされる仮止め部と、継ぎ天井梁が位置決めされる位置決め部が設けられ、
仮柱の仮止め部に仮止めされた天井梁のためのジョイントピースの取付片と、仮柱の位置決め部に位置決めされた継ぎ天井梁の取付部材とが溶接され、
天井梁のジョイントピースの本体と、継ぎ天井梁の本体の間に、この柱省略建物ユニットの継ぎ天井梁を相隣る他の柱省略建物ユニットの継ぎ天井梁とつなぐように、この柱省略建物ユニットの継ぎ天井梁に添設される継ぎ材の挿入スペースを設けてなることを特徴とする建物ユニット。
【請求項２】
相隣る複数の建物ユニットとして請求項１に記載の建物ユニットを用いて構築されるユニット建物であって、
相隣る複数の建物ユニットのそれぞれに定めた柱省略コーナー部を柱省略接合部にて互いに突き合せ配置し、
相隣る建物ユニットの柱省略接合部を含む同一面内で該柱省略コーナー部に交差配置されている天井梁を継ぎ天井梁とし、
相隣る建物ユニットのうちの一方側の建物ユニットの継ぎ天井梁の側から他方側の建物ユニットの継ぎ天井梁の側に延在する継ぎ材をそれらの継ぎ天井梁に添設し、継ぎ材の一端側を一方側の建物ユニットの継ぎ天井梁に接合し、継ぎ材の他端側を他方側の建物ユニットの継ぎ天井梁に接合するものであり、
天井梁のジョイントピースの本体と、継ぎ天井梁の本体の間に、継ぎ材の挿入スペースを設けてなるユニット建物。
【請求項３】
相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合する請求項２に記載のユニット建物。
【発明の詳細な説明】
【技術分野】
【０００１】
本発明は建物ユニット及びユニット建物に関する。
【背景技術】
【０００２】
柱と梁を箱形に接合した建物ユニットにおいて、柱省略コーナー部を設けるとき、特許文献１に記載の如く、相交差する天井梁のそれぞれを柱省略コーナー部に設けられる短柱に突き合せ溶接している。
【特許文献１】特開平9-165824
【発明の開示】
【発明が解決しようとする課題】
【０００３】
特許文献１に記載の建物ユニットでは、相交差する天井梁の間に短柱を介するため、複雑な構造になり、コスト高になる。
【０００４】
本発明の課題は、建物ユニットにおいて、相交差する天井梁と継ぎ天井梁を柱省略コーナー部で直に接合し、コスト低減することにある。
【０００５】
本発明の他の課題は、柱省略した広い連続空間を形成するユニット建物において、継ぎ天井梁同士を強固に接合し、柱省略に起因する強度低下を確実に補強することにある。
【課題を解決するための手段】
【０００６】
請求項１の発明は、相交差する天井梁と継ぎ天井梁を柱省略コーナー部で接合する建物ユニットにおいて、天井梁が継ぎ天井梁との接合のために有するジョイントピースが、該天井梁の端部を抱持する本体と、該本体から舌片状に突出する取付片とを備え、継ぎ天井梁が天井梁との接合のために備える取付部材が、該継ぎ天井梁の本体の自由端側に一体化され、柱省略コーナー部に仮に設けられる仮柱に、天井梁のためのジョイントピースの取付片が仮止めされる仮止め部と、継ぎ天井梁が位置決めされる位置決め部が設けられ、仮柱の仮止め部に仮止めされた天井梁のためのジョイントピースの取付片と、仮柱の位置決め部に位置決めされた継ぎ天井梁の取付部材とが溶接され、天井梁のジョイントピースの本体と、継ぎ天井梁の本体の間に、この柱省略建物ユニットの継ぎ天井梁を相隣る他の柱省略建物ユニットの継ぎ天井梁とつなぐように、この柱省略建物ユニットの継ぎ天井梁に添設される継ぎ材の挿入スペースを設けてなるようにしたものである。
【０００７】
請求項２の発明は、相隣る複数の建物ユニットとして請求項１に記載の建物ユニットを用いて構築されるユニット建物であって、相隣る複数の建物ユニットのそれぞれに定めた柱省略コーナー部を柱省略接合部にて互いに突き合せ配置し、相隣る建物ユニットの柱省略接合部を含む同一面内で該柱省略コーナー部に交差配置されている天井梁を継ぎ天井梁とし、相隣る建物ユニットのうちの一方側の建物ユニットの継ぎ天井梁の側から他方側の建物ユニットの継ぎ天井梁の側に延在する継ぎ材をそれらの継ぎ天井梁に添設し、継ぎ材の一端側を一方側の建物ユニットの継ぎ天井梁に接合し、継ぎ材の他端側を他方側の建物ユニットの継ぎ天井梁に接合するものであり、天井梁のジョイントピースの本体と、継ぎ天井梁の本体の間に、継ぎ材の挿入スペースを設けてなるようにしたものである。
【０００８】
請求項３の発明は、請求項２の発明において更に、相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合するようにしたものである。
【発明の効果】
【０００９】
（請求項１）
(a)建物ユニットにおいて、柱省略コーナー部に仮に設けられる仮柱に、天井梁のためのジョイントピースが仮止めされる仮止め部と、継ぎ天井梁が位置決めされる位置決め部が設けられ、仮柱の仮止め部に仮止めされた天井梁のためのジョイントピースと、仮柱の位置決め部に位置決めされた継ぎ天井梁の取付部材とが溶接される。従って、相交差する天井梁と継ぎ天井梁を柱省略コーナー部で直に接合し、コスト低減することができる。
【００１０】
（請求項２）
(b)相隣る建物ユニットの継ぎ天井梁同士をそれら継ぎ天井梁に添設する継ぎ材により接合することによって、継ぎ天井梁同士を強固に接合できる。従って、柱省略した広い連続空間を形成するユニット建物において、継ぎ天井梁同士を強固に接合し、柱省略に起因する強度低下を確実に補強することができる。
【００１１】
(c)相隣る建物ユニットのそれぞれにおいて、天井梁のジョイントピースと、継ぎ天井梁の間に、継ぎ材の挿入スペースを設けた。従って、上述(b)の継ぎ材を容易に設置できる。
【００１２】
（請求項３）
(d)上述(b)の継ぎ天井梁同士を、それらの概ね全長に渡って添設する長尺の補強梁により連結することによって、継ぎ天井梁同士を強固に接合できる。
【発明を実施するための最良の形態】
【００１３】
図１はユニット建物の一例を示す斜視図、図２はユニット建物の他の例を示す斜視図、図３は図１のIII部の構造を示し、（Ａ）は正面図、（Ｂ）は平面図、図４は図１のIV部の構造を示し、（Ａ）は正面図、（Ｂ）は平面図、図５は図１のＶ部の構造を示し、（Ａ）は正面図、（Ｂ）は平面図、図６は仮柱を示す斜視図、図７は仮柱へのジョイントピースの仮止め状態を示し、（Ａ）は正面図、（Ｂ）は平面図、図８はジョイントピースへの天井梁の取付状態を示し、（Ａ）は正面図、（Ｂ）は平面図、図９は仮柱への継ぎ天井梁の位置決め状態を示し、（Ａ）は平面図、（Ｂ）は継ぎ天井梁を示す斜視図、図１０は仮柱と天井梁と継ぎ天井梁を示し、（Ａ）は正面図、（Ｂ）は平面図、（Ｃ）は側面図、図１１は補助柱の取付手順を示し、（Ａ）は伸縮棒の取付状態を示す斜視図、（Ｂ）は補助柱の取付状態を示す斜視図、（Ｃ）は伸縮棒の取外し状態を示す斜視図、図１２は仮柱の取外し手順を示す側面図、図１３はユニット建物の一例を示し、（Ａ）は建物ユニットの据付状態を示す模式平面図、（Ｂ）は建物ユニットの補強状態を示す模式平面図、図１４は継ぎ天井梁と継ぎ材を示す斜視図である。
【実施例】
【００１４】
図１、図２の柱省略建物ユニット１０は、角鋼管製柱１１とＣ形鋼製床梁１２とＣ形鋼製天井梁１３を箱形に接合した骨組構造体であり、相交差する床梁１２の接合部、天井梁１３の接合部をコーナー部とする。柱省略建物ユニット１０は、少なくとも１個、図１では１個のコーナー部、図２では相隣る２個のコーナー部を柱省略コーナー部１４としてなるものである。
【００１５】
柱省略建物ユニット１０の天井梁１３において、柱１１が存在するコーナー部と柱省略コーナー部１４の間に延在される天井梁１３は、継ぎ天井梁１３Ａとされる。継ぎ天井梁１３Ａは、概ね全長に渡る各部の断面強度を他の天井梁１３の断面強度より高くし（例えば継ぎ天井梁１３Ａの板厚を他の天井梁１３の板厚より厚くする）、本実施例ではリップ付きＣ形鋼からなるものとしている。
【００１６】
柱省略建物ユニット１０は、柱１１が存在するコーナー部（III部）で、図３に示す如く、相交差する床梁１２、１２の接合構造を以下の如くにしている。柱１１の下端部の相交差する２面のそれぞれに固定されるＣ形鋼ジョイントピース１１Ａに妻側（短辺側）と桁側（長辺側）の各床梁１２の端部を抱持させて接続する。
【００１７】
柱省略建物ユニット１０は、柱１１が存在するコーナー部（IV部）で、図４に示す如く、相交差する継ぎ天井梁１３Ａ、天井梁１３の接合構造を以下の如くにしている。柱１１の上端部の相交差する２面のそれぞれに固定されるＣ形鋼ジョイントピース１１Ｂに妻側の継ぎ天井梁１３Ａと桁側の天井梁１３の端部を抱持させて接続する。
【００１８】
柱省略建物ユニット１０は、柱省略コーナー部１４（Ｖ部）で、図５に示す如く、相交差する床梁１２、１２の接合構造を以下の如くにしている。相交差する床梁１２の交差部に短柱１５を設け、短柱１５の相交差する２面のそれぞれに固定されるＣ形鋼ジョイントピース１５Ａに妻側と桁側の各床梁１２の端部を抱持させて接続する。
【００１９】
柱省略建物ユニット１０は、柱省略コーナー部１４（VI部）で、相交差する継ぎ天井梁１３Ａと天井梁１３の接合構造を以下の如くにしている。
【００２０】
(1)柱省略コーナー部１４に、柱省略建物ユニット１０の製造過程、建築現場への輸送据付段階で仮に設けられる仮柱２０に、図６に示す如く、天井梁１３のためのジョイントピース３０が仮止めされる仮止め部２２と、継ぎ天井梁１３Ａが位置決めされる位置決め部２１が設けられる。仮柱２０は上端部にＣ形鋼からなる位置決め部２１を溶接し、位置決め部２１の端面に板片からなる仮止め部２２を溶接して構成される。仮柱２０の下端部には前述の短柱１５がボルト止めされる。
【００２１】
(2)仮柱２０の仮止め部２２に天井梁１３のためのジョイントピース３０が仮止めされる。ジョイントピース３０は、図７に示す如く、Ｃ形鋼からなる本体３１のウエブの中央部分を舌片状に突出した取付片３２とする。ジョイントピース３０の取付片３２の先端部が仮柱２０の仮止め部２２にボルト２３を用いて仮止めされる。これにより、天井梁１３のジョイントピース３０の本体３１、取付片３２の外面は、床梁１２のジョイントピース１５Ａ、短柱１５の外面と面一をなすように設定される。
【００２２】
(3)仮柱２０の仮止め部２２に仮止めされたジョイントピース３０の本体３１に、図８に示す如く、天井梁１３の端部を抱持させて溶接する（図８のスポット溶接部３１Ａ、３１Ｂ）。
【００２３】
(4)仮柱２０の位置決め部２１に継ぎ天井梁１３Ａを位置決めする。継ぎ天井梁１３Ａは、図９に示す如く、リップ付きＣ形鋼からなる本体４１の自由端側のウエブ内面に四角筒状の取付部材４２を溶接等により一体化されて備える。継ぎ天井梁１３Ａは、本体４１の端部を仮柱２０の位置決め部２１に抱持されるように、本体４１のウエブの外面を仮柱２０の位置決め部２１のウエブの内面に当て、本体４１の上下のフランジの外面を仮柱２０の位置決め部２１の上下のフランジの内面に当てるとともに、本体４１の基端部から突き出ている取付部材４２の取付片４２Ａをジョイントピース３０の取付片３２に当てることにより、位置決めされる。これにより、継ぎ天井梁１３Ａは天井梁１３のジョイントピース３０と直交配置される。また、継ぎ天井梁１３Ａの外面は、床梁１２のジョイントピース１５Ａ、短柱１５の外面と面一をなすように設定される。
【００２４】
(5)仮柱２０の仮止め部２２に仮止めされた天井梁１３のためのジョイントピース３０の取付片３２と、仮柱２０の位置決め部２１に位置決めされた継ぎ天井梁１３Ａの取付部材４２とが溶接される（図１０のアーク溶接部３２Ａ、３２Ｂ）。このとき、天井梁１３のジョイントピース３０の本体３１の上下のフランジ及びウエブと、継ぎ天井梁１３Ａの本体４１の上下のリップの間に、後述する継ぎ材６１、７１の挿入スペース（図１０のＧ1、Ｇ2）が設けられる。
【００２５】
(6)継ぎ天井梁１３Ａの中間部と床梁１２の中間部の間に補助柱５０を取付ける（図１１）。まず、継ぎ天井梁１３Ａと床梁１２の間に伸縮棒５１を介装し、継ぎ天井梁１３Ａを持ち上げる（図１１（Ａ））。次に、継ぎ天井梁１３Ａと床梁１２の間に補助柱５０を挟み入れ、補助柱５０の上下端部のそれぞれを継ぎ天井梁１３Ａと床梁１２のそれぞれにボルト止めする（図１１（Ｂ））。次に、伸縮棒５１を取外す（図１１（Ｃ））。
【００２６】
(7)仮柱２０を取外す。ジョイントピース３０の取付片３２と仮柱２０の仮止め部２２を仮止めしていたボルト２３を外し、仮柱２０をジョイントピース３０から取外す（図１２）。このとき、仮柱２０の下端部を短柱１５から取外す。
【００２７】
次に、柱省略建物ユニット１０を用いて構築されるユニット建物１の一例について説明する（図１３）。
【００２８】
ユニット建物１にあっては、４個の柱省略建物ユニット１０（１０Ａ〜１０Ｄ）のそれぞれに定めた柱省略コーナー部を柱省略接合部２にて互いに突き合せ配置する。
【００２９】
相対応する柱省略建物ユニット１０Ａと柱省略建物ユニット１０Ｂの間で、両者の柱省略接合部２を含む同一面内でそれらの柱省略コーナー部に交差配置されている天井梁を前述の継ぎ天井梁１３Ａとする。
【００３０】
相対応する柱省略建物ユニット１０Ｃと柱省略建物ユニット１０Ｄの間でも、両者の柱省略接合部２を含む同一面内でそれらの柱省略コーナー部に交差配置されている天井梁を前述の継ぎ天井梁１３Ａとする。
【００３１】
従って、ユニット建物１は、柱省略接合部２を含む同一面内で継ぎ天井梁１３Ａを有するように相隣る柱省略建物ユニットの組を２組有し、一方の組を構成するように相隣る柱省略建物ユニット１０Ａ及び１０Ｂと、他方の組を構成するように相隣る柱省略建物ユニット１０Ｃ及び１０Ｄとの間に、それらの継ぎ天井梁１３Ａが互いに相対して形成する一定の据付間隔を設ける。
【００３２】
以下、ユニット建物１において、柱省略建物ユニット１０Ａ〜１０Ｄの継ぎ天井梁１３Ａ同士を強固に接合し、柱省略に起因する強度低下を補強する構造について説明する。
【００３３】
(1)図１３、図１４に示す如く、柱省略建物ユニット１０Ａの継ぎ天井梁１３Ａの下フランジの側から、柱省略建物ユニット１０Ｂの継ぎ天井梁１３Ａの下フランジの側にＵ字状の継ぎ材６１と両側リップ付き平板状の補助継ぎ板６２を延在する。継ぎ材６１の水平板６１Ａと垂直板６１Ｂと垂直板６１Ｃが両継ぎ天井梁１３Ａの下フランジとウエブ下部と下リップの外面に添設される。補助継ぎ板６２は両継ぎ天井梁１３Ａの下フランジの内面に添設される。
【００３４】
継ぎ材６１、補助継ぎ板６２の一端側で、３本の高力ボルト６３を継ぎ材６１の水平板６１Ａ、補助継ぎ板６２、継ぎ天井梁１３Ａの下フランジのそれぞれに設けたボルト挿通孔に挿通し、高力ボルト６３の挿通端にナット６３Ａを締め付ける。継ぎ材６１、補助継ぎ板６２の他端側でも、３本の高力ボルト６３を継ぎ材６１の水平板６１Ａ、補助継ぎ板６２、継ぎ天井梁１３Ａの下フランジのそれぞれに設けたボルト挿通孔に挿通し、高力ボルト６３の挿通端にナット６３Ａを締め付ける。これにより、継ぎ材６１、補助継ぎ板６２の一端側を柱省略建物ユニット１０Ａの継ぎ天井梁１３Ａに剛接合し、継ぎ材６１、補助継ぎ板６２の他端側を柱省略建物ユニット１０Ｂの継ぎ天井梁１３Ａに剛接合する。本発明の実施において、高力ボルトとしては、トルシア形、六角ボルト形等を採用できる。
【００３５】
(2)図１３、図１４に示す如く、柱省略建物ユニット１０Ｃの継ぎ天井梁１３Ａの下フランジの側から、柱省略建物ユニット１０Ｄの継ぎ天井梁１３Ａの下フランジの側にも、上述(1)と同様にして、継ぎ材６１と補助継ぎ板６２を添設し、それら継ぎ材６１と補助継ぎ板６２をそれら柱省略建物ユニット１０Ｃ、１０Ｄの継ぎ天井梁１３Ａに剛接合する。
【００３６】
(3)図１３に示す如く、相隣る柱省略建物ユニット１０Ａ及び１０Ｂの組と、相隣る柱省略建物ユニット１０Ｃ及び１０Ｄの組の間の前述した据付間隔内に、それら２組の柱省略建物ユニット１０Ａ及び１０Ｂと、柱省略建物ユニット１０Ｃ及び１０Ｄに対し共通にされる補助梁８０を挿入して配置する。
【００３７】
補助梁８０は、長尺板材からなり、柱省略接合部２の一端側にて相対する柱省略建物ユニット１０Ａ、１０Ｃの継ぎ天井梁１３Ａ、１３Ａの据付間隔から、柱省略接合部２の他方側にて相対する柱省略建物ユニット１０Ｂ、１０Ｄの継ぎ天井梁１３Ａ、１３Ａの据付間隔に渡って設けられる。
【００３８】
補強梁８０は、それら柱省略建物ユニット１０Ａ〜１０Ｄの継ぎ天井梁１３Ａのウエブに添設される。補強梁８０の両端部は、柱省略接合部２の左右の一方側にて相対する２個の柱省略建物ユニット１０Ａ、１０Ｃの各柱１１と、柱省略接合部２の他端側にて相対する２個の柱省略建物ユニット１０Ｂ、１０Ｄの各柱１１のそれぞれに接続される。このとき、補強梁８０の両端部は、高力ボルトを用いた継ぎ天井梁１３Ａ、ジョイントピース１１Ｂとの高力ボルト接合を介して柱１１に接続される。補強梁８０の中央部は、相対する２個の柱省略建物ユニット１０Ａ、１０Ｃの継ぎ天井梁１３Ａに高力ボルト接合され、相対する２個の柱省略建物ユニット１０Ｂ、１０Ｄの継ぎ天井梁１３Ａに高力ボルト接合される。
【００３９】
このとき、補強梁８０は、前述(1)、(2)により柱省略建物ユニット１０Ａ〜１０Ｄの継ぎ天井梁１３Ａに添設される前述の継ぎ材６１の垂直板６１Ｂの上から該継ぎ天井梁１３Ａのウエブに添設される。
【００４０】
(4)図１３、図１４に示す如く、柱省略建物ユニット１０Ａの継ぎ天井梁１３Ａの上フランジの側から、柱省略建物ユニット１０Ｂの継ぎ天井梁１３Ａの上フランジの側にＵ字状の継ぎ材７１と両側リップ付き平板状の補助継ぎ板７３を延在する。継ぎ材７１の水平板７１Ａと垂直板７１Ｂと垂直板７１Ｃが両継ぎ天井梁１３Ａの上フランジとウエブ上部と上リップの外面に添設される。補助継ぎ板７２は両継ぎ天井梁１３Ａの上フランジの内面に添設される。
【００４１】
継ぎ材７１、補助継ぎ板７２の一端側で、３本の高力ボルト７３を継ぎ材７１の水平板７１Ａ、補助継ぎ板７２、継ぎ天井梁１３Ａの上フランジのそれぞれに設けたボルト挿通孔に挿通し、高力ボルト７３の挿通端にナット７３Ａを締め付ける。継ぎ材７１、補助継ぎ板７２の他端側でも、３本の高力ボルト７３を継ぎ材７１の水平板７１Ａ、補助継ぎ板７２、継ぎ天井梁１３Ａの上フランジのそれぞれに設けたボルト挿通孔に挿通し、高力ボルト７３の挿通端にナット７３Ａを締め付ける。これにより、継ぎ材７１、補助継ぎ板７２の一端側を柱省略建物ユニット１０Ａの継ぎ天井梁１３Ａに剛接合し、継ぎ材７１、補助継ぎ板７２の他端側を柱省略建物ユニット１０Ｂの継ぎ天井梁１３Ａに剛接合する。
【００４２】
(5)図１３、図１４に示す如く、柱省略建物ユニット１０Ｃの継ぎ天井梁１３Ａの上フランジの側から、柱省略建物ユニット１０Ｄの継ぎ天井梁１３Ａの上フランジの側にも、上述(4)と同様にして、継ぎ材７１と補助継ぎ板７２を添設し、それら継ぎ材７１と補助継ぎ板７２をそれら柱省略建物ユニット１０Ｃ、１０Ｄの継ぎ天井梁１３Ａに剛接合する。
【００４３】
本実施例によれば以下の作用効果を奏する。
(a)柱省略建物ユニット１０において、柱省略コーナー部１４に仮に設けられる仮柱２０に、天井梁１３のためのジョイントピース３０が仮止めされる仮止め部２２と、継ぎ天井梁１３Ａが位置決めされる位置決め部２１が設けられ、仮柱２０の仮止め部２２に仮止めされた天井梁１３のためのジョイントピース３０と、仮柱２０の位置決め部２１に位置決めされた継ぎ天井梁１３Ａの取付部材４２とが溶接される。従って、相交差する天井梁１３と継ぎ天井梁１３Ａを柱省略コーナー部１４で直に接合し、コスト低減することができる。
【００４４】
(b)相隣る柱省略建物ユニット１０の継ぎ天井梁１３Ａ同士をそれら継ぎ天井梁１３Ａに添設する継ぎ材６１、７１により接合することによって、継ぎ天井梁１３Ａ同士を強固に接合できる。従って、柱省略した広い連続空間を形成するユニット建物１において、継ぎ天井梁１３Ａ同士を強固に接合し、柱省略に起因する強度低下を確実に補強することができる。
【００４５】
(c)相隣る柱省略建物ユニット１０のそれぞれにおいて、天井梁１３のジョイントピース３０と、継ぎ天井梁１３Ａの間に、継ぎ材６１、７１の挿入スペースＧを設けた。従って、上述(b)の継ぎ材６１、７１を容易に設置できる。
【００４６】
(d)上述(b)の継ぎ天井梁１３Ａ同士を、それらの概ね全長に渡って添設する長尺の補強梁８０により連結することによって、継ぎ天井梁１３Ａ同士を強固に接合できる。
【００４７】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４８】
【図１】図１はユニット建物の一例を示す斜視図である。
【図２】図２はユニット建物の他の例を示す斜視図である。
【図３】図３は図１のIII部の構造を示し、（Ａ）は正面図、（Ｂ）は平面図である。
【図４】図４は図１のIV部の構造を示し、（Ａ）は正面図、（Ｂ）は平面図である。
【図５】図５は図１のＶ部の構造を示し、（Ａ）は正面図、（Ｂ）は平面図である。
【図６】図６は仮柱を示す斜視図である。
【図７】図７は仮柱へのジョイントピースの仮止め状態を示し、（Ａ）は正面図、（Ｂ）は平面図である。
【図８】図８はジョイントピースへの天井梁の取付状態を示し、（Ａ）は正面図、（Ｂ）は平面図である。
【図９】図９は仮柱への継ぎ天井梁の位置決め状態を示し、（Ａ）は平面図、（Ｂ）は継ぎ天井梁を示す斜視図である。
【図１０】図１０は仮柱と天井梁と継ぎ天井梁を示し、（Ａ）は正面図、（Ｂ）は平面図、（Ｃ）は側面図である。
【図１１】図１１は補助柱の取付手順を示し、（Ａ）は伸縮棒の取付状態を示す斜視図、（Ｂ）は補助柱の取付状態を示す斜視図、（Ｃ）は伸縮棒の取外し状態を示す斜視図である。
【図１２】図１２は仮柱の取外し手順を示す側面図である。
【図１３】図１３はユニット建物の一例を示し、（Ａ）は建物ユニットの据付状態を示す模式平面図、（Ｂ）は建物ユニットの補強状態を示す模式平面図である。
【図１４】図１４は継ぎ天井梁と継ぎ材を示す斜視図である。
【符号の説明】
【００４９】
１  ユニット建物
２  柱省略接合部
１０  柱省略建物ユニット
１３  天井梁
１３Ａ  継ぎ天井梁
１４  柱省略コーナー部
２０  仮柱
２１  位置決め部
２２  仮止め部
３０  ジョイントピース
４２  取付部材
６１、７１  継ぎ材
８０  補強梁
【図１】
0005103103.tif 000002
【図２】
0005103103.tif 000003
【図３】
0005103103.tif 000004
【図４】
0005103103.tif 000005
【図５】
0005103103.tif 000006
【図６】
0005103103.tif 000007
【図７】
0005103103.tif 000008
【図８】
0005103103.tif 000009
【図９】
0005103103.tif 000010
【図１０】
0005103103.tif 000011
【図１１】
0005103103.tif 000012
【図１２】
0005103103.tif 000013
【図１３】
0005103103.tif 000014
【図１４】
0005103103.tif 000015